(57)【要約】【課題】目的のネットワークへログインするために必要なログインＩＤやパスワード等のログイン情報の漏洩を防ぐこと。【課題を解決するための手段】画像データ番号発行部は取得した画像データに対して固有の画像データ番号を発行する。ユーザーは外部端末にアップロードしたい画像データの画像データ番号、アップロード先のクラウド情報、クラウドへのログインＩＤ及びパスワードを入力する。外部端末はこの入力内容を画像形成装置へ送信し、対象クラウド特定部がクラウド情報に基づいてアップロード先のクラウドを特定する。ログイン認証部は、送信されたログインＩＤ及びパスワードを用いて対象クラウド特定部が特定したクラウドに対する認証を行う。ログインが成功した場合、アップロード制御部は送信された画像データ番号の画像データをクラウドへ送信する。【選択図】図３
2014102595.tif 000002
【特許請求の範囲】
【請求項１】
ユーザーが利用する外部端末とネットワークを介して通信可能な画像形成装置において、
原稿画像を読み取って画像データを取得する読取部と、
前記画像データを特定する画像データ番号を発行する発行部と、
前記画像データと前記画像データ番号とを対応付けて記憶する記憶部と、
前記画像データ番号と、前記画像データのアップロード先を示すアップロード先特定情報と、当該アップロード先にログインするためのログイン情報とを前記外部端末から受け付ける情報受付部と、
前記情報受付部が受け付けたアップロード先特定情報に基づいてアップロード先を特定する特定部と、
前記情報受付部が受け付けたログイン情報に基づいて前記特定部が特定したアップロード先においてアクセス可否の認証を行うために必要な認証処理を行う認証部と、
前記認証部による前記認証処理で前記アップロード先に対するアクセスが認められた場合、前記記憶部が記憶する画像データから前記情報受付部が受け付けた画像データ番号に対応する画像データを読み出し、当該画像データを前記アップロード先に送信する通信制御部と、
を備えた画像形成装置。
【請求項２】
表示部と、
前記表示部を表示制御する表示制御部とを更に備え、
前記表示制御部は、前記発行部が発行した画像データ番号を前記表示パネルに表示させる請求項１に記載の画像形成装置。
【請求項３】
前記通信制御部は、前記発行部が発行した画像データ番号を前記外部端末へ送信する請求項１又は請求項２に記載の画像形成装置。
【請求項４】
印刷データに基づいて用紙印刷を行う印刷部を更に更に備え、
前記印刷部は、前記発行部が発行した画像データ番号を前記印刷データとして用紙印刷を行う請求項１乃至請求項３のいずれかに記載の画像形成装置。
【請求項５】
画像形成装置が記憶する画像データを特定するための画像データ番号と、当該画像データ番号が示す画像データのアップロード先を示すアップロード先特定情報と、当該アップロード先に対するログイン情報とをユーザーが利用する外部端末から受け付ける情報受付部と、
前記情報受付部が受け付けたログイン情報に基づいて前記特定部が特定したアップロード先においてアクセス可否の認証を行うために必要な認証処理を行う認証部と、
前記認証部による前記認証処理で前記アップロード先に対するアクセスが認められた場合、前記外部の画像形成装置が記憶する画像データから前記画像データ番号に対応する画像データを読み出し、当該画像データを前記アップロード先にアップロードするアップロード部として、コンピューターを機能させるアップロードプログラム。
【請求項６】
ユーザーが利用する外部端末に対して、画像形成装置及びアップロード制御装置がネットワークを介して通信可能なアップロードシステムにおいて、
前記画像形成装置は、
原稿画像を読み取って画像データを取得する読取部と、
前記画像データを特定する画像データ番号を発行する発行部と、
前記画像データと前記画像データ番号とを対応付けて記憶する記憶部とを備え、
前記アップロード制御装置は、
前記画像データ番号と、当該画像データ番号が示す画像データのアップロード先を示すアップロード先特定情報と、当該アップロード先にログインするためのログイン情報とを前記外部端末から入力する情報受付部と、
前記情報受付部が受け付けたログイン情報に基づいて前記特定部が特定したアップロード先においてアクセス可否の認証を行うために必要な認証処理を行う認証部と、
前記認証部による前記認証処理で前記アップロード先に対するアクセスが認められた場合、前記画像形成装置の記憶部から前記受付部が受け付けた画像データ番号が示す画像データを抽出し、当該画像データを前記アップロード先にアップロードするアップロード部と、
を備えたアップロードシステム。
【請求項７】
ユーザーが個人的に利用する外部端末に対して、画像形成装置及びアップロード制御装置がネットワークを介して通信可能なアップロードシステムにおいて、
前記画像形成装置は、
原稿画像を読み取って画像データを取得する読取部と、
前記画像データを特定する画像データ番号を発行する発行部と、
前記画像データと前記画像データ番号とを対応付けて記憶する記憶部とを備え、
前記アップロード制御装置は、
前記画像データ番号と、当該画像データ番号が示す画像データのアップロード先を示すアップロード先特定情報と、当該アップロード先にログインするためのログイン情報とを前記外部端末から受け付ける情報受付部と、
前記情報受付部が受け付けたログイン情報に基づいて前記特定部が特定したアップロード先においてアクセス可否の認証を行うために必要な認証処理を行う認証部と、
前記認証部による前記認証処理で前記アップロード先に対するアクセスが認められた場合、前記画像形成装置に対して前記情報受付部が受け付けた画像データ番号及び前記アップロード先特定情報を送信する送信部とを備え、
前記画像形成装置は、
前記アップロード制御装置の送信部から前記画像データ番号及び前記アップロード先特定情報を受信する受信部と、
前記画像形成装置の記憶部から前記受信部が受け付けた画像データ番号が示す画像データを読み出し、当該画像データを前記受信部が受け付けたアップロード先にアップロードするアップロード部と、
を更に備えたアップロードシステム。
【発明の詳細な説明】
【技術分野】
【０００１】
本発明は、画像形成装置、アップロードプログラム及びアップロードシステムに関し、特に、画像形成装置で読み取った画像データをクラウド等が保有するサーバーへアップロードする技術である。
【背景技術】
【０００２】
近年、クラウドサービスと呼ばれるインターネットに接続されたサーバーシステムを使ったサービスが一般的に利用されている。例えば、特許文献１には、携帯電話やデジタル複合機から、クラウド等が保有するサーバーにあるコンテンツデータを他の任意の機器へ送信させるサービスに関する技術が記載されている。
【先行技術文献】
【特許文献】
【０００３】
【特許文献１】特開２００７−２６１０８号公報
【発明の概要】
【発明が解決しようとする課題】
【０００４】
クラウドが保有するサーバーにアクセスする場合、一般的にクラウドにログインするためのログインＩＤとパスワードの入力が必要となる。特許文献１に記載の技術の場合、クラウドにログインする際に不特定多数のユーザーが利用するデジタル複合機にログインＩＤとパスワードを入力する必要があるため、ログインＩＤやパスワードが他人に漏洩する可能性があり、セキュリティ上の問題があった。
【０００５】
本発明は、上記の問題を解決するためになされたもので、目的のネットワークへログインするために必要なログインＩＤやパスワード等のログイン情報の漏洩を防止することを目的とする。
【課題を解決するための手段】
【０００６】
本発明の一局面に係る画像形成装置は、ユーザーが利用する外部端末とネットワークを介して通信可能な画像形成装置において、
原稿画像を読み取って画像データを取得する読取部と、
前記画像データを特定する画像データ番号を発行する発行部と、
前記画像データと前記画像データ番号とを対応付けて記憶する記憶部と、
前記画像データ番号と、前記画像データのアップロード先を示すアップロード先特定情報と、当該アップロード先にログインするためのログイン情報とを前記外部端末から受け付ける情報受付部と、
前記情報受付部が受け付けたアップロード先特定情報に基づいてアップロード先を特定する特定部と、
前記情報受付部が受け付けたログイン情報に基づいて前記特定部が特定したアップロード先においてアクセス可否の認証を行うために必要な認証処理を行う認証部と、
前記認証部による前記認証処理で前記アップロード先に対するアクセスが認められた場合、前記記憶部が記憶する画像データから前記情報受付部が受け付けた画像データ番号に対応する画像データを読み出し、当該画像データを前記アップロード先に送信する通信制御部と、を備える。
【０００７】
本発明の一局面に係るアップロードプログラムは、画像形成装置が記憶する画像データを特定するための画像データ番号と、当該画像データ番号が示す画像データのアップロード先を示すアップロード先特定情報と、当該アップロード先に対するログイン情報とをユーザーが利用する外部端末から受け付ける情報受付部と、前記情報受付部が受け付けたログイン情報に基づいて前記特定部が特定したアップロード先においてアクセス可否の認証を行うために必要な認証処理を行う認証部と、前記認証部による前記認証処理で前記アップロード先に対するアクセスが認められた場合、前記外部の画像形成装置が記憶する画像データから前記画像データ番号に対応する画像データを読み出し、当該画像データを前記アップロード先にアップロードするアップロード部として、コンピューターを機能させる。
【０００８】
本発明の一局面に係るアップロードシステムは、ユーザーが利用する外部端末に対して、画像形成装置及びアップロード制御装置がネットワークを介して通信可能なアップロードシステムにおいて、前記画像形成装置は、原稿画像を読み取って画像データを取得する読取部と、前記画像データを特定する画像データ番号を発行する発行部と、前記画像データと前記画像データ番号とを対応付けて記憶する記憶部とを備え、前記アップロード制御装置は、前記画像データ番号と、当該画像データ番号が示す画像データのアップロード先を示すアップロード先特定情報と、当該アップロード先にログインするためのログイン情報とを前記外部端末から入力する情報受付部と、前記情報受付部が受け付けたログイン情報に基づいて前記特定部が特定したアップロード先においてアクセス可否の認証を行うために必要な認証処理を行う認証部と、前記認証部による前記認証処理で前記アップロード先に対するアクセスが認められた場合、前記画像形成装置の記憶部から前記受付部が受け付けた画像データ番号が示す画像データを抽出し、当該画像データを前記アップロード先にアップロードするアップロード部と、を備える。
【０００９】
本発明の一局面に係るアップロードシステムは、ユーザーが個人的に利用する外部端末に対して、画像形成装置及びアップロード制御装置がネットワークを介して通信可能なアップロードシステムにおいて、前記画像形成装置は、原稿画像を読み取って画像データを取得する読取部と、前記画像データを特定する画像データ番号を発行する発行部と、前記画像データと前記画像データ番号とを対応付けて記憶する記憶部とを備え、前記アップロード制御装置は、前記画像データ番号と、当該画像データ番号が示す画像データのアップロード先を示すアップロード先特定情報と、当該アップロード先にログインするためのログイン情報とを前記外部端末から受け付ける情報受付部と、前記情報受付部が受け付けたログイン情報に基づいて前記特定部が特定したアップロード先においてアクセス可否の認証を行うために必要な認証処理を行う認証部と、前記認証部による前記認証処理で前記アップロード先に対するアクセスが認められた場合、前記画像形成装置に対して前記情報受付部が受け付けた画像データ番号及び前記アップロード先特定情報を送信する送信部とを備え、前記画像形成装置は、前記アップロード制御装置の送信部から前記画像データ番号及び前記アップロード先特定情報を受信する受信部と、前記画像形成装置の記憶部から前記受信部が受け付けた画像データ番号が示す画像データを読み出し、当該画像データを前記受信部が受け付けたアップロード先にアップロードするアップロード部と、を更に備える。
【発明の効果】
【００１０】
本発明によれば、画像データのアップロード先にログインするために必要なログイン情報（ログインＩＤとパスワード）を、ユーザーは画像形成装置に直接入力するのではなく例えば個人的に利用する外部端末に入力し、その外部端末から情報受付部がログイン情報を受け取るので、ログイン情報を不特定多数のユーザーが利用する画像形成装置に入力しなくてもよい。そのため、画像形成装置への入力中に他人にログイン情報を読み取られること等により発生する情報漏洩を防ぐことができ、セキュリティ性を高めることができる。
【図面の簡単な説明】
【００１１】
【図１】第１の実施の形態におけるアップロードシステムを示す図である。
【図２】第１の実施の形態における画像形成装置の電気的構成を示したブロック図である。
【図３】第１の実施の形態におけるアップロード処理の流れを示したフローチャートである。
【図４】第２の実施の形態におけるアップロードシステムを示す図である。
【図５】第２の実施の形態における画像形成装置とルーターの電気的構成を示したブロック図である。
【図６】第２の実施の形態におけるアップロード処理の流れを示したフローチャートである。
【図７】第３の実施の形態における画像形成装置とルーターの電気的構成を示したブロック図である。
【図８】第３の実施の形態におけるアップロード処理の流れを示したフローチャートである。
【発明を実施するための形態】
【００１２】
〔第１の実施の形態〕
以下、本発明の第一の実施の形態における画像形成装置、アップロードプログラム及びアップロードシステムについて図面を参照して説明する。図１は、第１の実施の形態におけるアップロードシステムについて説明するための図である。第１実施形態に係るアップロードシステムは、例えば、クラウド１と、画像形成装置２と、パソコン３ａ又は携帯電話３ｂの少なくともいずれかとを有する。
【００１３】
クラウド１は、ルーター１１及びサーバー１２を有する。ルーター１１は、サーバー１２とインターネットＮを相互接続するための電子機器である。サーバー１２は、インターネットＮに接続された電子機器に所定のサービスを提供する制御装置である。
【００１４】
ルーター４は、画像形成装置２とパーソナルコンピューター（パソコン）３ａが接続されているネットワークｎとインターネットＮを相互接続するための電子機器である。画像形成装置２は、スキャナー機能、コピー機能、プリンター機能及びファクシミリ機能のような複数の機能を兼ね備えた複合機である。尚、本実施の形態における画像形成装置は、少なくともスキャナー機能、又はスキャナー機能及びプリンター機能のみを備えたものでもよい。
【００１５】
携帯電話３ｂは、インターネットＮに接続して通信が可能な外部端末の一例である。ユーザーはパソコン３ａや携帯電話３ｂを使ってクラウド１や画像形成装置２にアクセスすることができる。なお、インターネットＮには、外部のパソコン３ａが接続されている。以下、パソコン３ａや携帯電話３ｂを、まとめて「外部端末３」と言い、外部端末３はユーザーが個人的に利用する端末であることが望ましい。
【００１６】
図２は、本実施の形態における画像形成装置２の電気的構成を示したブロック図である。画像形成装置２は、画像読取部２１（読取部）、画像形成部２２（印刷部）、操作部２３、制御部２４、記憶部２６及び通信部２７（受付部）を備えて構成される。
【００１７】
画像読取部２１は、原稿の画像を読み取って画像データを生成する。生成された画像データは、後述する画像データ番号発行部２４１が発行する画像データ固有の識別情報である画像データ番号と対応付けられて記憶部２６の画像データ記憶部２６１に記憶される。
【００１８】
画像形成部２２は、記録媒体としての用紙に印刷データに基づいた画像を形成する。操作部２３は、画像形成装置２が実行可能な各種動作及び処理について操作者からの指示を受け付ける操作キーや、タッチパネル機能が備えられたＬＣＤ（Liquid Crystal Display）等の表示パネル(表示部)２３１を備えてなる。
【００１９】
記憶部２６は、画像データ記憶部２６１、クラウド情報記憶部２６２、ログイン情報記憶部２６３及びクラウドコネクタアプリケーション２６４を記憶する。画像データ記憶部２６１は、画像読取部２１が読み取った画像データと、画像データ番号発行部２４１が発行した画像データ番号とを対応付けて記憶する。
【００２０】
クラウド情報記憶部２６２は、画像形成装置２が利用可能なクラウドの情報、すなわち、クラウドへのアクセス先を示す情報(URL等)を記憶する。ログイン情報記憶部２６３は、クラウドへログインするためのログイン情報とパスワードを記憶する。クラウド情報記憶部２６２に記憶されたクラウド情報及びログイン情報記憶部２６３に記憶されたログイン情報は、画像形成装置２とインターネットＮの接続を管理するネットワーク管理者等によって予め登録されている。
【００２１】
クラウドコネクタアプリケーション２６４は、画像形成装置２がクラウド１を利用する際に起動するアプリケーションであり、後ほど詳しく説明する。
【００２２】
通信部２７は、画像形成装置２が接続されているＬＡＮ（Local Area Network）やＷＡＮ（Wide AreaNetwork）を介してルーター４等の各電子機器と通信を行うインターフェイス回路である。
【００２３】
制御部２４（表示制御部）は、ＣＰＵ（Central Processing Unit：中央処理装置）等によって構成され、記憶部２６に記憶されたクラウドコネクタアプリケーション２６４等のプログラムを読み出して処理を実行し、各機能部への指示信号の出力、データ転送等を行って画像形成装置１を統括的に制御するものであり、画像データ番号発行部２４１（発行部）及びアプリケーション実行部２５を有する。
【００２４】
画像データ番号発行部２４１は、画像読取部２１が原稿から読み取った画像データに対して固有の画像データ番号を発行する。そして、制御部２４は、画像データと画像データ番号とを対応付けて画像データ記憶部２６１に記憶する。
【００２５】
アプリケーション実行部２５は、記憶部２６からクラウドコネクタアプリケーション２６４を読み出して処理を実行するものであり、対象クラウド特定部２５２（特定部）、ログイン認証部２５３（認証部）及びアップロード制御部２５４（通信制御部）を有する。
【００２６】
対象クラウド特定部２５２は、クラウド情報記憶部２６２に記憶された内容に基づいて、外部端末３から送信されたクラウド情報（アップロード先特定情報）が示すクラウド（対象クラウド）を特定する。
【００２７】
ログイン認証部２５３は、外部端末３から送信されたクラウドのログインＩＤ及びパスワードに基づいて、対象クラウドに対する認証処理を行う。この認証処理は、ログイン認証部２５３が上記クラウド情報の示すクラウドにアクセスして、当該クラウドにログインＩＤ及びパスワードを送信して、当該クラウドからログイン許可を得るまでの一連の処理である。アップロード制御部２５４は、ログイン認証部２５３が対象クラウドへのログイン許可を得た場合、対象クラウドへユーザーが指定した画像データをアップロードする。
【００２８】
ユーザーが画像データ記憶部２６１に記憶された画像データをクラウドにアップロードしたいとき、ユーザーは画像データの画像データ番号、アップロード先のクラウド情報（アップロード先特定情報）、及びそのクラウドにログインするためのログインＩＤ及びパスワードを有するログイン情報（以下、これらの情報をまとめて「アップロード情報」という）を外部端末３に入力する。外部端末３は、このアップロード情報を、インターネットＮを介して画像形成装置２へ送信する。
【００２９】
ここで、従来は、クラウドのログインＩＤ及びパスワードを、画像形成装置２の操作部２３から直接入力をしていた。しかし、一般的に画像形成装置２のユーザーは不特定多数であるため、入力中にログインＩＤやパスワードが他人に見られたり、ユーザーが入力の途中で画像形成装置２から離れたりすると、ログインＩＤとパスワードが他人に知られてしまい、セキュリティを十分確保することができなかった。
【００３０】
そこで、ユーザーがクラウドに画像データをアップロードする場合、クラウドへのログインＩＤとパスワードをユーザーが個人的に利用するパソコン３ａや携帯電話３ｂから入力・送信することによって、画像形成装置２に直接入力する必要がなくなり、ログインＩＤとパスワードの漏洩を防ぐ。
【００３１】
図３は、本実施の形態におけるアップロード処理の流れを示したフローチャートである。まず、ユーザーは画像形成装置２に原稿をセットし、操作部２３から読み取り指示を入力する。これにより、画像読取部２１は原稿を読み取って画像データを取得する（Ｓ１１）。そして、画像データ番号発行部２４１は取得した画像データに対して固有の画像データ番号を発行し、制御部２４は画像データと画像データ番号を対応付けて画像データ記憶部２６１に記憶する（Ｓ１２）。
【００３２】
次に、制御部２４は、画像データ番号をユーザーに報知する（Ｓ１３）。この報知方法は、例えば、（１）制御部２４が表示パネル２３１に画像データ番号を表示させる、（２）制御部２４が画像データ番号の記載された電子メールを外部端末３に送信する、（３）制御部２４が画像データ番号を印刷データとして画像形成部２２に印刷させる、等である。
【００３３】
上記（１）の場合、ユーザーは表示された画像データ番号を紙に書き写す必要があるが、その後表示パネル２３１の表示が消去されれば、画像データ番号を他人に知られることがないため、情報漏洩を防止することができる。
【００３４】
上記（２）の場合、ユーザーは画像形成装置２にメールアドレスを入力し、制御部２４はそのアドレス宛てに画像データ番号の記載された電子メールを送信することによって、情報漏洩を防ぐことができる。または、画像形成装置２を使用する際にユーザーＩＤの入力が必要な場合、記憶部２６にユーザーＩＤとメールアドレスを対応付けて記憶させておくことで、ユーザーのメールアドレスを特定することができ、制御部２４はそのメールアドレスに画像データ番号の記載された電子メールを送ることができる。
【００３５】
上記（３）の場合、ユーザーは上記（１）のような紙への画像データ番号の書き写しや、上記（２）のようなユーザーＩＤの入力といった手間を省くことができるが、用紙の取り忘れ等によって画像データ番号が他人に知られてしまう危険性がある。
【００３６】
次に、ユーザーは外部端末３に上記アップロード情報をなす画像データ番号、クラウド情報、及びログイン情報（ログインＩＤ及びパスワード）を入力する。外部端末３はこの入力内容を画像形成装置２へ送信する（Ｓ１４）。
【００３７】
制御部２４は、通信部２７を介して、外部端末３からアップロード情報を取り込み、まず対象クラウド特定部２５２が、アップロード情報に含まれるクラウド情報から対象クラウドを特定する（Ｓ１５）。
【００３８】
続いて、ログイン認証部２５３は、アップロード情報に含まれるログイン情報のログインＩＤ及びパスワードを用いて対象クラウドに対する認証処理を行う（Ｓ１６）。ログインが成功した場合（Ｓ１７；ＹＥＳ）、アップロード制御部２５４は送信された画像データ番号の画像データを画像データ情報記憶部２６１から読み出して、クラウド１へアップロードする（Ｓ１９）。クラウド１は画像データを受け取り、サーバー１２がその画像データを記憶する（Ｓ２０）。
【００３９】
アップロードが正常に行われた場合（Ｓ２１；ＹＥＳ）、制御部２４は通信部２７に対してアップロード完了通知を外部端末３に送信させ（Ｓ２２）、処理を終了する。ログインが失敗した場合（Ｓ１７；ＮＯ）やアップロードが正常に行われなかった場合（Ｓ２１；ＮＯ）、制御部２４は通信部２７に対してエラー通知を外部端末３に送信させ（Ｓ２３）、処理を終了する。
【００４０】
外部端末３は、画像形成装置２より送信された通知内容に従ってモニターにメッセージ表示を行って（Ｓ２４）、処理を終了する。
【００４１】
以上、説明したように、画像データをアップロードする対象クラウドへのログインＩＤとパスワードをユーザーが個人的に利用するパソコン３ａや携帯電話３ｂから入力し、画像形成装置２に対して送信することによって、ログインＩＤとパスワードを不特定多数の人が利用する画像形成装置２に直接入力する必要がなくなるため、情報漏洩を防ぐことができ、セキュリティ性を高めることができる。
【００４２】
また、サーバー１２に蓄積できるデータ容量は限られており、画像データをクラウド１にアップロードしたくても、容量オーバーでアップロードできないケースがある。サーバー１２の残容量は、通常画像形成装置２から確認することができず、従来は画像形成装置２からクラウド１へのアップロード操作を行った後、アップロードのエラー通知を見てユーザーは初めて容量オーバーを知ることができた。その後、アップロード可能なクラウドを探す必要があり、手間がかかっていた。
【００４３】
しかし、外部端末３からはサーバー１２の残容量を知ることができる。つまり、ユーザーはまず画像形成装置２に原稿を読み取らせ、その後、外部端末３でクラウドの残容量を確認しながら、アップロードするクラウドを選択、指定することができる。このため、容量オーバーによるアップロードエラーのために、再度クラウドを指定してアップロード操作をやり直す手間を省くことができ、利便性を高めることができる。
【００４４】
すなわち、ユーザーは、画像形成装置２におけるアップロード対象の原稿読取時にアップロード先とするクラウドを指定しておく必要はなく、画像形成装置２でアップロード対象の原稿を読み取らせた後に、外部端末３を用いて、複数のクラウドから、当該原稿の画像データのアップロード先とするクラウド(サーバー)を選択して、当該選択したクラウドに当該原稿の画像データをアップロードすることが可能である。
〔第２の実施の形態〕
第１の実施の形態では、画像形成装置２の記憶部２６がクラウドコネクタアプリケーション２６４を記憶する場合について説明した。第２の実施の形態では、インターネットＮ上のウェブサイト（ウェブサイトを管理するサーバーＳＶ）がクラウドコネクタアプリケーション２６４を記憶、実行する場合について説明する。尚、クラウドコネクタアプリケーション２６４を記憶、実行する電子機器としてサーバーＳＶを例に挙げて説明するが、これに限らず、インターネットＮを介してクラウド１、画像形成装置２及び外部機器３と通信可能な電子機器であればよい。
【００４５】
第２の実施の形態におけるアップロードシステムを説明する。図４は、第２の実施の形態におけるアップロードシステムを示す図である。第１の実施の形態において図１に示したアップロードシステムと同様の構成は説明を省略する。
【００４６】
第２の実施の形態におけるアップロードシステムは、第１の実施の形態におけるアップロードシステムが有する構成に加えて、更に、データアップロード管理用のウェブサイトＷ１を有する。ウェブサイトＷ１は、ルーター１５及びサーバーＳＶを有する。ルーター１５は、サーバーＳＶとインターネットＮを相互接続するための電子機器である。サーバーＳＶは、ウェブサイトＷ１を実現するために必要なデータの記憶と、ウェブサイトＷ１を実現するために必要な処理とを行う。但し、第２実施形態に係るアップロードシステムとしては、携帯端末３及びクラウド１を備えず、画像形成装置２と、ウェブサイトＷ１とを備えてなる構成も含むものとする。後述する第３実施形態も同様である。
【００４７】
図５は、本実施の形態における画像形成装置２とサーバーＳＶの電気的構成を示したブロック図である。サーバーＳＶは、サーバー制御部４１、記憶部４３及びネットワークＩ／Ｆ部４４を備える。
【００４８】
記憶部４３は、クラウド情報記憶部２６２、ログイン情報記憶部２６３及びクラウドコネクタアプリケーション２６４を記憶する。
【００４９】
ネットワークＩ／Ｆ部４４は、インターネットＮを介してクラウド１や携帯電話３ｂ、画像形成装置２やパソコン３ａと通信を行うための通信インターフェイス回路である。
【００５０】
サーバー制御部４１は、ＣＰＵ等によって構成され、記憶部４３に記憶されたクラウドコネクタアプリケーション２６４等のプログラムを読み出して処理を実行し、各機能部への指示信号の出力、データ転送等を行って、サーバーＳＶを統括的に制御するものであり、アプリケーション実行部２５を有する。
【００５１】
なお、この第２実施形態では、画像形成装置２の画像データ番号発行部２４１は、発行する画像データ番号に、当該画像形成装置２を特定するための装置固有の識別番号を含めて、当該画像データ番号を発行する。
【００５２】
図６は、本実施の形態におけるアップロード処理の流れを示したフローチャートである。まず、ユーザーは画像形成装置２に原稿をセットし、操作部２３から読み取り指示を入力する。これにより、画像読取部２１は原稿を読み取って画像データを取得する（Ｓ１１）。そして、画像データ番号発行部２４１は取得した画像データに対して固有の画像データ番号を発行し、制御部２４は画像データと画像データ番号を対応付けて画像データ記憶部２６１に記憶する（Ｓ１２）。
【００５３】
次に、制御部２４は、画像データ番号を表示パネル２３１によりユーザーに報知する（Ｓ１３）。そして、ユーザーは外部端末３に、アップロード情報をなす各情報を入力する。外部端末３はこの入力内容を、インターネットＮを介して、ウェブサイトＷ１のサーバーＳＶに送信する（Ｓ１４）。
【００５４】
サーバー制御部４１は、外部端末３からのアップロード情報を取り込み、まず対象クラウド特定部２５２が対象クラウドを特定する（Ｓ４１）。続いて、ログイン認証部２５３は、送信されたログインＩＤ及びパスワードを用いて対象クラウドに対する認証処理を行う（Ｓ４２）。ログインが成功した場合（Ｓ４３；ＹＥＳ）、アップロード制御部２５４は画像データ番号の示す画像データの転送要求を画像形成装置２に対して送信する（Ｓ４４）。画像形成装置２の制御部２４はこの転送要求を受け取ると、画像データ番号に基づいて記憶部２６の画像データ情報記憶部２６１から画像データを読み出し、サーバーＳＶに転送する（Ｓ３１）。サーバーＳＶのネットワークＩ／Ｆ部４４が画像データを受け取ると、アップロード制御部２５４はその画像データをクラウド１へアップロードする（Ｓ４５）。クラウド１は画像データを受け取り、クラウド１のサーバー１２がその画像データを記憶する（Ｓ２０）。
【００５５】
アップロードが正常に行われた場合（Ｓ４６；ＹＥＳ）、サーバー制御部４１はネットワークＩ／Ｆ部４４に対してアップロード完了通知を外部端末３に送信させ（Ｓ４７）、処理を終了する。ログインが失敗した場合（Ｓ４３；ＮＯ）やアップロードが正常に行われなかった場合（Ｓ４６；ＮＯ）、ルーター制御部４１はネットワークＩ／Ｆ部４４に対してエラー通知を外部端末３に送信させ（Ｓ４８）、処理を終了する。
【００５６】
外部端末３は、画像形成装置２より送信された通知内容に従ってモニターにメッセージ表示を行って（Ｓ２４）、処理を終了する。
【００５７】
第１の実施の形態において、ユーザーにより入力されたアップロード情報を外部端末３が画像形成装置２に送信する場合について説明した。この場合、画像形成装置２のメモリー（不図示）にはクラウドへのログインＩＤやパスワードが蓄積して記憶されることとなり、このメモリーが不正に解析されると、ログインＩＤとパスワードが漏洩する恐れがあった。
【００５８】
しかし、第２の実施の形態のアップロードシステムでは、サーバー制御部４１がログインＩＤとパスワードを受け取ってクラウド１への認証処理を行うため、画像形成装置２にはログインＩＤとパスワードが流れない。従って、セキュリティ性を更に高めることができる。
〔第３の実施の形態〕
第３実施形態に係るアップロードシステムは、第２実施形態に係るアップロードシステムと同様の構成であるが、下記の点で異なる。第１及び第２の実施の形態では、クラウドコネクタアプリケーション２６４が実行されることによって、アップロード制御部２５４が画像データをクラウド２へアップロードする場合について説明した。第３の実施の形態では、クラウドコネクタアプリケーション２６４の処理とは別に、画像形成装置２が単独で画像データをクラウド２へアップロードする。
【００５９】
図７は、本実施の形態における画像形成装置２とサーバーＳＶの電気的構成を示したブロック図である。第１及び第２の実施の形態と異なる部分のみ説明する。画像形成装置２の制御部２４は、画像データ番号発行部２４１とアップロード制御部２５４を備える。そして、サーバー制御部４１が備えるアプリケーション実行部２５は、対象クラウド特定部２５２及びログイン認証部２５３を有する。
【００６０】
図８は、本実施の形態におけるアップロード処理の流れを示したフローチャートである。まず、ユーザーは画像形成装置１に原稿をセットし、操作部２３から読み取り指示を入力する。これにより、画像読取部２１は原稿を読み取って画像データを取得する（Ｓ１１）。そして、画像データ番号発行部２４１は取得した画像データに対して固有の画像データ番号を発行し、制御部２４は画像データと画像データ番号を対応付けて画像データ記憶部２６１に記憶する（Ｓ１２）。
【００６１】
次に、制御部２４は、画像データ番号をユーザーに報知する（Ｓ１３）。そして、ユーザーは外部端末３にアップロード情報をなす各情報を入力する。外部端末３はこの入力内容をサーバーＳＶへ送信する（Ｓ１４）。
【００６２】
サーバー制御部４１は、外部端末３から送信されたアップロード情報を取り込み、まず対象クラウド特定部２５２が対象クラウドを特定する（Ｓ４１）。続いて、ログイン認証部２５３は、ログインＩＤ及びパスワードを用いて対象クラウドに対する認証を行う（Ｓ４２）。ログインが失敗した場合（Ｓ４３；ＮＯ）、サーバー制御部４１は、ネットワークＩ／Ｆ部４４に対してエラー通知を外部端末３に送信させ、（Ｓ４８）、処理を終了する。
【００６３】
ログインが成功した場合（Ｓ４３；ＹＥＳ）、アプリケーション実行部２５は、通信部４２に対して画像データ番号と対象クラウドのクラウド情報を画像形成装置２に送信させる（Ｓ５１）。
【００６４】
画像形成装置２の制御部２４は、画像データ番号とクラウド情報を受け取ると、アップロード制御部２５４は画像データ番号に基づいて画像データ情報記憶部２６１から画像データを読み出し、クラウド情報に基づいてこの画像データをクラウド２へアップロードする（Ｓ６１）。クラウド１は画像データを受け取り、サーバー１２がその画像データを記憶する（Ｓ２０）。
【００６５】
アップロードが正常に行われた場合（Ｓ６２；ＹＥＳ）、制御部２４は通信部２７に対してアップロード完了通知を外部端末３に送信させ（Ｓ６３）、処理を終了する。アップロードが正常に行われなかった場合（Ｓ６１；ＮＯ）、制御部２４は通信部２７に対してエラー通知を外部端末３に送信させ（Ｓ６４）、処理を終了する。
【００６６】
外部端末３は、画像形成装置２より送信された通知内容に従ってモニターにメッセージ表示を行って（Ｓ２４）、処理を終了する。
【００６７】
以上、説明したように、画像形成装置２のアップロード制御部２５４が画像データをクラウド１へ直接アップロードすることによって、画像データはルーター４等の他の電子機器に読み出される必要がないため、画像データの漏洩を防ぐことができる。
【符号の説明】
【００６８】
１        クラウド
１１、４  ルーター
１２      サーバー
２        画像形成装置
３ａ      パソコン
３ｂ      携帯電話
Ｎ        インターネット
【図１】
2014102595.tif 000003
【図２】
2014102595.tif 000004
【図３】
2014102595.tif 000005
【図４】
2014102595.tif 000006
【図５】
2014102595.tif 000007
【図６】
2014102595.tif 000008
【図７】
2014102595.tif 000009
【図８】
2014102595.tif 000010